(57)【要約】【課題】移動体通信事業者を介さずに、コンテンツ料金を簡便に徴収することができるコンテンツ料金の課金システムを提供する。【解決手段】携帯電話２に基地局４、移動体通信網５とネットワーク６を介してコンテンツサーバ３が配信する有料情報サービスに課金するコンテンツ料金の課金システムであって、コンテンツサーバ３にアクセスするためのログインページと、コンテンツサーバ３から有料情報サービスを受けるためのログインＩＤを印字した入場チケット７と、代金と引き換えに入場チケット７を販売する入場チケット販売機８とを備え、携帯電話２は、ログインページによってコンテンツサーバ３にアクセスしてログインＩＤを入力し、コンテンツサーバ３は、携帯電話２からログインＩＤを受信してログインＩＤによって携帯電話２に有料情報サービスを配信する。【選択図】        図１
2005134952.tif 000002
【特許請求の範囲】
【請求項１】
携帯端末に通信網とネットワークを介してコンテンツサーバが配信する有料情報サービスに課金するコンテンツ料金の課金システムであって、
前記コンテンツサーバにアクセスするためのサーバアクセス情報と、前記コンテンツサーバから前記有料情報サービスを受けるための認証情報とからなるログイン情報と、
代金と引き換えに前記ログイン情報を販売する販売手段と
を備え、
前記携帯端末は、前記サーバアクセス情報によって前記コンテンツサーバにアクセスして前記販売手段によって販売された認証情報を入力し、
前記コンテンツサーバは、前記携帯端末から前記認証情報を受信して前記認証情報によって前記携帯端末に前記有料情報サービスを配信することを特徴とするコンテンツ料金の課金システム。
【請求項２】
前記販売装置と前記コンテンツサーバは通信回線を介して接続され、前記販売手段は、前記有料情報サービスを配信する地域を示す配信地域情報を前記コンテンツサーバに送信し、前記コンテンツサーバは、前記販売手段から前記通信回線を介して受信した前記配信地域情報に示される地域に限定された有料情報サービを配信することを特徴とする請求項１に記載のコンテンツ料金の課金システム。
【請求項３】
前記販売装置と前記コンテンツサーバは通信回線を介して接続され、前記販売手段は、前記販売手段によって前記ログイン情報を販売した販売日を前記コンテンツサーバに送信し、前記コンテンツサーバは、前記販売手段から前記通信回線を介して受信した前記販売日を基に有効期間の間、前記有料情報サービスを配信することを特徴とする請求項１または２に記載のコンテンツ料金の課金システム。
【請求項４】
前記有効期間は、前記販売日当日であることを特徴とする請求項３に記載のコンテンツ料金の課金システム。
【請求項５】
前記コンテンツサーバは、前記携帯端末から受信した前記認証情報が前記販売手段によって販売されたものであることを認証する認証手段を備えることを特徴とする請求項１〜４のいずれかに記載のコンテンツ料金の課金システム。
【請求項６】
前記販売装置と前記コンテンツサーバは通信回線を介して接続され、前記販売手段は、前記認証情報の生成手段を備え、前記コンテンツサーバは、前記通信回線によって前記販売手段から受信した前記認証情報を記憶する記憶手段を備え、前記認証手段は、前記携帯端末から受信した前記認証情報と、前記記憶手段に記憶されている認証情報とが同じものであるとき、前記携帯端末から受信した前記認証情報が前記販売手段によって販売されたものであることを認証することを特徴とする請求項５に記載のコンテンツ料金の課金システム。
【請求項７】
前記販売装置と前記コンテンツサーバは通信回線を介して接続され、前記コンテンツサーバは、前記認証情報生成する認証情報生成手段を備え、前記認証手段は、前記コンテンツサーバが前記通信回線を介して前記販売手段に与えた前記認証情報と、前記携帯端末から受信した前記認証情報とが同じものであるとき、前記携帯端末から受信した前記認証情報が前記販売手段によって販売されたものであることを認証することを特徴とする請求項５に記載のコンテンツ料金の課金システム。
【請求項８】
携帯端末に通信網とネットワークを介してコンテンツサーバが配信する有料情報サービスに課金するコンテンツ料金の課金システムであって、
前記コンテンツサーバにアクセスするためのサーバアクセス情報と、前記有料情報サービスを配信する地域を示す配信地域情報および販売日を前記コンテンツサーバから前記有料情報サービスを受けるための認証情報に含む複合認証情報とからなるログイン情報と、
代金と引き換えに前記ログイン情報を販売する販売手段と
を備え、
前記携帯端末は、前記サーバアクセス情報によって前記コンテンツサーバにアクセスして前記販売手段によって販売された複合認証情報を入力し、
前記コンテンツサーバは、前記携帯端末から受信した前記複合認証情報によって前記販売日を基に有効期間の間、前記配信地域情報に示される地域に限定された有料情報サービスを前記携帯端末に配信することを特徴とするコンテンツ料金の課金システム。
【請求項９】
前記有効期間は、前記販売日当日であることを特徴とする請求項８に記載のコンテンツ料金の課金システム。
【請求項１０】
前記販売手段は、前記ログイン情報をチケットに印字して販売することを特徴とする請求項１〜９のいずれかに記載のコンテンツ料金の課金システム。
【請求項１１】
前記サーバアクセス情報は、前記コンテンツサーバのＵＲＬであることを特徴とする請求項１〜１０のいずれかに記載のコンテンツ料金の課金システム。
【請求項１２】
前記コンテンツサーバは、前記携帯端末から受信した前記認証情報が前記販売手段によって販売されたものであることを認証する認証手段を備えることを特徴とする請求項８〜１１のいずれかに記載のコンテンツ料金の課金システム。
【請求項１３】
前記販売手段は、前記認証情報を生成する認証情報生成手段を備え、前記確認手段は、前記販売手段と同じ前記認証情報生成手段を備え、前記携帯端末から受信した前記認証情報が前記認証情報生成手段によって生成されているとき、前記携帯端末から受信した前記認証情報が前記販売手段によって販売されたものであることを認証することを特徴とする請求項１２に記載のコンテンツ料金の課金システム。
【発明の詳細な説明】
【技術分野】
【０００１】
本発明は、携帯電話などの携帯端末から有料情報サービスを利用する際のコンテンツ料金の課金システムに関し、特に移動体通信事業者を介さずに有料情報サービスに対して課金を行うコンテンツ料金の課金システムに関するものである。
【背景技術】
【０００２】
近年、携帯電話が普及し、提供される有料情報サービスの内容も充実してきたため、有料コンテンツを利用する携帯電話の使用者が急速に増加している。携帯電話から有料情報サービスを利用する場合、携帯電話の使用者は、例えば携帯電話のキーを操作して「Ｗｅｂサービス」を選択して内蔵の通信機能を起動し、携帯電話を基地局、通信網およびインターネット等を経由させて移動体通信事業者のＷｅｂセンタと接続し、Ｗｅｂセンタと専用回線によって接続されたコンテンツサーバが提供する有料コンテンツ情報を取得してＷｅｂセンタの「有料コンテンツメニュー」として携帯電話に表示する。
【０００３】
携帯電話の使用者が、表示された「有料コンテンツメニュー」の中から希望する有料コンテンツを選択すると、携帯電話はＷｅｂセンタを介して選択された有料コンテンツを配信するネットワーク上のコンテンツサーバに接続され、コンテンツサーバから有料コンテンツサービスが配信される。
【０００４】
移動体通信事業者は、コンテンツサーバと契約を結び、提供された有料コンテンツ情報を「有料コンテンツメニュー」に登録して携帯電話の使用者に有料コンテンツのサービス情報を提供するとともに、携帯電話の使用者が利用した有料コンテンツのサービス料金を代行して携帯電話利用料金に合算して徴収し、所定の手数料を差し引いて、契約を結んでいるコンテンツサーバに支払う。
【０００５】
ところで、遊園地や病院などの特定の地域に有効な情報を提供するため、遊園地内の各アトラクション会場に、敷地内の複数の基地局に対して各別に位置登録したアトラクションＰＨＳ端末を配置し、ＰＨＳ端末に遊園地に入場する際に入手したローカルエリア用ＩＤメモリを装着し、このＩＤメモリの個人番号に基づいて基地局に対しＰＨＳ端末を位置登録し、アトラクションＰＨＳ端末から位置登録された基地局を介してＰＨＳ端末に情報を提供する無線通信システムがある（特許文献１）。
【０００６】
【特許文献１】特開平８−１８２０４８号公報
【発明の開示】
【発明が解決しようとする課題】
【０００７】
しかしながら、従来のように「有料コンテンツメニュー」に有料コンテンツ情報を登録し、利用した有料コンテンツサービスに対する課金を移動体通信事業者に代行してもらうために、コンテンツサーバは移動体通信事業者と契約を結んで手数料を支払い、さらに提供する有料コンテンツ料金に制限が設けられるなどの各種制約を守らなければならない。そのため、移動体通信事業者に有料コンテンツ料金の徴収を代行してもらうと、有料コンテンツ料金が割高に固定され、また、有料コンテンツ料金が制限を超えたり、移動体通信事業者が提示する制約を越えてしまうようなコンテンツを有料で提供することは難しく、有料コンテンツ市場が活性化されにくい要因となっている。
【０００８】
また、特許文献１の無線通信システムによるとＰＨＳ端末を利用して遊園地内の情報を得るため、遊園地側は、基地局、基地局を管理する基地局コントローラ、および情報を提供するアトラクションＰＨＳ端末を遊園地の各アトラクション会場に設置し、基地局コントローラ、基地局、およびアトラクションＰＨＳ端末からなる情報提供システムを構築し、入り口でローカルエリア用ＩＤメモリを販売しなければならない。一方、遊園地の利用者は、遊園地に入場する際に入り口でローカルエリア用ＩＤメモリを購入して装着し、基地局に対して、位置登録を行わなければならない。
【０００９】
本発明は、上記に鑑みてなされたものであって、移動体通信事業者を介さずに、コンテンツ料金を簡便に徴収することができるコンテンツ料金の課金システムを提供することにある。また、遊園地や病院などの特定の地域にとって価値のある有料情報サービスを特別な設備を設けることなく提供し、移動体通信事業者を介さずにコンテンツ料金を徴収することができるコンテンツ料金の課金システムを提供することにある。
【課題を解決するための手段】
【００１０】
上述した課題を解決し、目的を達成するために、本発明の請求項１に係る発明は、携帯端末に通信網とネットワークを介してコンテンツサーバが配信する有料情報サービスに課金するコンテンツ料金の課金システムであって、前記コンテンツサーバにアクセスするためのサーバアクセス情報と、前記コンテンツサーバから前記有料情報サービスを受けるための認証情報とからなるログイン情報と、代金と引き換えに前記ログイン情報を販売する販売手段とを備え、前記携帯端末は、前記サーバアクセス情報によって前記コンテンツサーバにアクセスして前記販売手段によって販売された認証情報を入力し、前記コンテンツサーバは、前記携帯端末から前記認証情報を受信して前記認証情報によって前記携帯端末に前記有料情報サービスを配信することを特徴とするコンテンツ料金の課金システムを提供する。
【００１１】
本発明の請求項２に係るコンテンツ料金の課金システムは、上記請求項１において、前記販売装置と前記コンテンツサーバは通信回線を介して接続され、前記販売手段は、前記有料情報サービスを配信する地域を示す配信地域情報を前記コンテンツサーバに送信し、前記コンテンツサーバは、前記販売手段から前記通信回線を介して受信した前記配信地域情報に示される地域に限定された有料情報サービを配信することを特徴とする。
【００１２】
本発明の請求項３に係るコンテンツ料金の課金システムは、上記請求項１または２において、前記販売装置と前記コンテンツサーバは通信回線を介して接続され、前記販売手段は、前記販売手段によって前記ログイン情報を販売した販売日を前記コンテンツサーバに送信し、前記コンテンツサーバは、前記販売手段から前記通信回線を介して受信した前記販売日を基に有効期間の間、前記有料情報サービスを配信することを特徴とする。
【００１３】
本発明の請求項４に係るコンテンツ料金の課金システムは、上記請求項３において、前記有効期間は、前記販売日当日であることを特徴とする。
【００１４】
本発明の請求項５に係るコンテンツ料金の課金システムは、上記請求項１〜４のいずれかにおいて、前記コンテンツサーバは、前記携帯端末から受信した前記認証情報が前記販売手段によって販売されたものであることを認証する認証手段を備えることを特徴とする。
【００１５】
本発明の請求項６に係るコンテンツ料金の課金システムは、上記請求項５において、前記販売装置と前記コンテンツサーバは通信回線を介して接続され、前記販売手段は、前記認証情報の生成手段を備え、前記コンテンツサーバは、前記通信回線によって前記販売手段から受信した前記認証情報を記憶する記憶手段を備え、前記認証手段は、前記携帯端末から受信した前記認証情報と、前記記憶手段に記憶されている認証情報とが同じものであるとき、前記携帯端末から受信した前記認証情報が前記販売手段によって販売されたものであることを認証することを特徴とする。
【００１６】
本発明の請求項７に係るコンテンツ料金の課金システムは、上記請求項５において、前記販売装置と前記コンテンツサーバは通信回線を介して接続され、前記コンテンツサーバは、前記認証情報生成する認証情報生成手段を備え、前記認証手段は、前記コンテンツサーバが前記通信回線を介して前記販売手段に与えた前記認証情報と、前記携帯端末から受信した前記認証情報とが同じものであるとき、前記携帯端末から受信した前記認証情報が前記販売手段によって販売されたものであることを認証することを特徴とする。
【００１７】
本発明の請求項８に係るコンテンツ料金の課金システムは、携帯端末に通信網とネットワークを介してコンテンツサーバが配信する有料情報サービスに課金するコンテンツ料金の課金システムであって、前記コンテンツサーバにアクセスするためのサーバアクセス情報と、前記有料情報サービスを配信する地域を示す配信地域情報および販売日を前記コンテンツサーバから前記有料情報サービスを受けるための認証情報に含む複合認証情報とからなるログイン情報と、代金と引き換えに前記ログイン情報を販売する販売手段とを備え、前記携帯端末は、前記サーバアクセス情報によって前記コンテンツサーバにアクセスして前記販売手段によって販売された複合認証情報を入力し、前記コンテンツサーバは、前記携帯端末から受信した前記複合認証情報によって前記販売日を基に有効期間の間、前記配信地域情報に示される地域に限定された有料情報サービスを前記携帯端末に配信することを特徴とするコンテンツ料金の課金システムを提供する。
【００１８】
本発明の請求項９に係るコンテンツ料金の課金システムは、上記請求項８において、前記有効期間は、前記販売日当日であることを特徴とする。
【００１９】
本発明の請求項１０に係るコンテンツ料金の課金システムは、請求項１〜９のいずれかにおいて、前記販売手段は、前記ログイン情報をチケットに印字して販売することを特徴とする。
【００２０】
本発明の請求項１１に係るコンテンツ料金の課金システムは、請求項１〜１０のいずれかにおいて、前記サーバアクセス情報は、前記コンテンツサーバのＵＲＬであることを特徴とする。
【００２１】
本発明の請求項１２に係るコンテンツ料金の課金システムは、請求項８〜１１のいずれかにおいて、前記コンテンツサーバは、前記携帯端末から受信した前記認証情報が前記販売手段によって販売されたものであることを認証する認証手段を備えることを特徴とする。
【００２２】
本発明の請求項１３に係るコンテンツ料金の課金システムは、上記請求項１２において、前記販売手段は、前記認証情報を生成する認証情報生成手段を備え、前記確認手段は、前記販売手段と同じ前記認証情報生成手段を備え、前記携帯端末から受信した前記認証情報が前記認証情報生成手段によって生成されているとき、前記携帯端末から受信した前記認証情報が前記販売手段によって販売されたものであることを認証することを特徴とする。
【発明の効果】
【００２３】
本発明にかかるコンテンツ料金の課金システムは、有料情報サービスを受けるための情報が印字されたチケットを購入することによって予め有料コンテンツの利用料金を徴収するため、簡単に有料コンテンツの利用料金を回収できるという効果を奏する。
【００２４】
また、チケット販売装置の設置された地域に有効な情報をコンテンツサーバから既存のインターネットおよび通信網を用いて提供しているため、情報を提供する地域に特別な設備を設け、新たにシステムを構築する必要がないという効果を奏する。
【発明を実施するための最良の形態】
【００２５】
以下に、本発明にかかるコンテンツ料金の課金システムの実施の形態を図面に基づいて詳細に説明する。なお、この実施の形態によりこの発明が限定されるものではない。
【００２６】
（実施の形態１）
実施の形態１は、販売手段である入場チケット販売装置とコンテンツサーバを接続させ、認証情報の生成手段であるログインＩＤ生成部をチケット販売装置が備えるものである。図１は、本発明の実施の形態１にかかるコンテンツ料金の課金システムを遊園地に適用した例を示すシステム概念図である。コンテンツ料金の課金システム１は、有料コンテンツサービスを利用する携帯電話２と有料コンテンツサービスを提供するコンテンツサーバ３の間を基地局４、移動体通信網５、およびインターネット６を介して接続し、有料コンテンツサービス付の入場チケット７を販売する入場チケット販売機８とコンテンツサーバ３の間をインターネット６によって接続して構成される。
【００２７】
入場チケット販売機８は、認証情報であるログインＩＤを生成するログインＩＤ生成部１０を備える。入場チケット販売機８に代金を投入して有料コンテンツサービス付の入場チケット７を購入すると、ログインＩＤ生成部１０が生成したログインＩＤは、入場チケット７に記載されて発券されるとともに、インターネット６を介してコンテンツサーバ３のチケット管理ＤＢ４５のログインＩＤ５２に記憶される。
【００２８】
入場チケット７を購入した携帯電話２の使用者が、携帯電話２からコンテンツサーバ３にアクセスしてログインＩＤを入力すると、コンテンツサーバ３は、チケット管理ＤＢ４５を検索し、携帯電話２から受信したログインＩＤがチケット管理ＤＢ４５のログインＩＤ５２に記憶されていれば、携帯電話２に有料情報サービスを配信する。入場チケット販売機８は、例えば、遊園地９の入り口等に設置され、配信される有料情報サービスは、入場チケット販売機８が設置された遊園地９に関係した独自のものである。尚、入場チケット販売機８とコンテンツサーバ３間は、インターネット６ではなく、専用回線を設けて接続してもよい。
【００２９】
図２は、本発明の実施の形態１にかかる有料コンテンツサービス付の入場チケット７の例である。入場チケット７には、有料情報サービスを提供するコンテンツサーバ３のログインページのＵＲＬ（Ｕｎｉｆｏｒｍ Ｒｅｓｏｕｒｃｅ Ｌｏｃａｔｏｒ）１１、例えば「ｈｔｔｐ：／／ｗｗｗ．aaa.com／ｘｙｚ／？ｕｉｄ＝・・・・」と、ログインＩＤ１２、例えば「Ｌ０００１」とが印字されている。
【００３０】
ログインＩＤ１２は、入場チケット販売機８のログインＩＤ１２生成部１０によって生成される。ログインＩＤ１２は、携帯電話２から入力することが可能な文字、数字、または記号などで表され、ログインＩＤ１２生成部１０は、ログインＩＤから規則性が見出せないよう乱数表などを用いた特別なロジックでログインＩＤ１２を生成する。例えば、簡単な方法として、発券時刻の数字を並べ替えて生成してもよい。
【００３１】
使用者が、携帯電話２から「インターネットアクセス」を選択して内蔵の通信制御部を起動し、入場チケット７に印字されたコンテンツサーバ３のログインページのＵＲＬ１１を入力すると、携帯電話２は、基地局４、移動体通信網５、インターネット６を介してＵＲＬ１１のコンテンツプサーバ３に接続され、携帯電話２にコンテンツサーバ３のログインページが表示される。
【００３２】
図３は、本発明の実施の形態１にかかる携帯電話の表示部に表示されたコンテンツサーバのログインページの例である。例えば、ログインページ２０は、画面最上段にはコンテンツサーバ名（サイト名）２１が表示され、ログインＩＤ入力欄２２、およびログインボタン２３などが表示される。ログインＩＤ入力欄２２に入場チケット７のログインＩＤ１２を入力し、ログインボタン２３を選択すると、携帯電話２は、入力したログインＩＤ１２によってコンテンツサーバ３から有料情報サービスのユーザであることが認証され、有料情報サービスが配信される。
【００３３】
入場チケット販売機８から入場チケット７が発券されると、発券されたログインＩＤ１２が入場チケット販売機８からインターネット６を経由してコンテンツサーバ３に転送される。携帯電話２の使用者は、遊園地９に設置されたチケット券売機８に代金を投入して遊園地９の有料コンテンツサービス付の入場チケット７を購入する。ここで、携帯電話２の使用者から遊園地９の入場料に上乗せしてコンテンツ料金が徴収される。
【００３４】
図４は、本発明の実施の形態１にかかるコンテンツ料金の課金システムの概念図である。コンテンツ料金の課金システムは、携帯電話２の使用者、コンテンツサーバ３、遊園地９の３者間で成り立つ。すなわち、携帯電話２の使用者は、入場チケット販売機８を介して遊園地９に代金を支払い（Ｓ１）、遊園地９から有料コンテンツサービス付の入場チケット７を得る（Ｓ２）。携帯電話２の使用者が、入場チケット７に記載されたログインページのＵＲＬ１１によりコンテンツサーバ３のログインページにアクセスし、ログインＩＤ１２を入力すると（Ｓ３）、携帯電話２の使用者は、コンテンツサーバから有料情報サービスを受ける（Ｓ４）。
【００３５】
コンテンツサーバ３は、遊園地９に関連した有料情報サービスを配信することによって遊園地９のエンターテイメント性を高めるとともに、有料情報サービスの会員として登録された携帯電話２の使用者の情報を遊園地９に提供し（Ｓ５）、遊園地９から有料コンテンツ料金として、例えば、有料コンテンツサービス付の入場チケット７の売り上げに応じた代金を回収する（Ｓ６）。
【００３６】
図５は、本発明の実施の形態１にかかる携帯電話の構成例を示すブロック図である。携帯電話２は、通信処理部３１、ＣＰＵ３２、ＲＯＭ３３、ＲＡＭ３４、キー群３５、表示部３６、音声処理部３７などを備えて構成されており、これら各部はバス３９等の通信路を介して通信可能に接続されている。通信処理部３１はアンテナ４０に接続されアンテナ４０を介して基地局４と通信を行い、コンテンツサーバ３から配信された待ち受け画面やメールメッセージ、着メロなどの有料コンテンツデータをＲＡＭ３４にダウンロードする。
【００３７】
ＣＰＵ３２はＲＯＭ３３に格納されているＯＳなどのプログラムによって、キー群３５からの入力を受けつけて、各種処理を実行する。例えば、ＲＡＭ３４にダウンロードされた有料コンテンツデータから待ち受け画面やメールメッセージなどを表示部３６に表示し、着メロなどを音声処理部３７で処理してスピーカ３８から出力する。キー群３５は、ログインＩＤ、および会員登録などの入力を行うための各種キーである。表示部３６は、Ｗｅｂ画面、メールメッセージなどの表示を行う。音声処理部３７はスピーカ３８のほかに音声入力のためのマイク３７Ａをそれぞれ接続させており、音声処理を行う。
【００３８】
図６は、本発明の実施の形態１にかかるコンテンツサーバの構成例を示すブロック図である。コンテンツサーバ３は、インターネット６と接続され、インターネット６を介して携帯電話２、および入場チケット販売機８との通信を制御する通信制御部４１、発券された入場チケット７に関連する情報を管理するチケット管理部４２、有料情報サービスの会員に関する情報を管理するユーザ管理部４３、入場チケット販売機８の設置された地域または施設ごとに異なる特別のサービスを提供するサービス提供部４４、発券された入場チケット７のデータを記憶するチケット管理ＤＢ４５、有料情報サービスの会員データを記録するユーザ管理ＤＢ４６、および地域に対応して有料サービス情報を記録するサービスＤＢ群４７などを備えて構成されており、これら各部はバス４８等の通信路を介して通信可能に接続されている。
【００３９】
図７は、本発明の実施の形態１にかかるチケット管理ＤＢの例を示す図である。チケット管理ＤＢ４５は、発券番号５１、ログインＩＤ５２、発券日５３、地域情報５４からなり、入場チケット販売機８で販売された入場チケット７に関する情報を記憶し、有料情報サービスのユーザを認証するために用いられる。
【００４０】
発券番号５１は、入場チケット７が発券された順に与えられるシリアルＮＯである。ログインＩＤ５２は、入場チケット販売機８によって発券された入場チケットのログインＩＤを記憶したものである。発券日５３は、入場チケット販売機８によってログインＩＤ５２の入場チケット７が発券された日である。地域情報５４は、地域ごとに異なった有料情報を提供するために入場チケット販売機８の設置された遊園地９などの場所示す情報である。
【００４１】
図８は、本発明の実施の形態１にかかるユーザ管理ＤＢの例を示す図である。ユーザ管理ＤＢ４６は、ログインＩＤ６１、メールアドレス６２、生年月日６３、性別６４、登録日時６５、ログイン時刻６６、ニックネーム６７、コンテンツ情報６８などからなり、有料情報サービスの会員として登録した携帯電話２の使用者に関するユーザ情報を集める。ユーザ管理ＤＢ４６は、生年月日６３、性別６４などの情報に合わせてサービス提供部４４で提供する有料情報サービスの内容を変えることによって、提供する有料情報サービスの質を高める。
【００４２】
ログインＩＤ６１は、チケット管理ＤＢ４５のログインＩＤ５２を記録する。メールアドレス６２は、イベント情報などをメールメッセージによって携帯電話２に送信するための携帯電話２のメールアドレスである。生年月日６３、性別６４は、携帯電話２の使用者つまり遊園地９に入場した来園者の情報であり、遊園地９の経営のための資料として活用される。メールアドレス６２、生年月日６３、性別６４、ニックネーム６７は、後述の会員登録画面から携帯電話２の使用者が入力したものである。
【００４３】
登録日時６５は、有料情報サービスの会員として登録した日時である。ログイン時刻６６は、有料情報サービスにログインした時刻であり、有料情報サービスにログインするたびに時刻が更新される。ログイン時刻６６は、各種イベントなどの情報をログイン時間を基に一定時間ごとに配信するなど、有料情報サービスの配信パターンを多様にするために設けたものである。ニックネーム６７は、メールの配信時、呼びかけなどに親しみ与えるためにメールの文中に用いられる。コンテンツ情報６８は、今までに配信された有料サービス情報を記憶したものである。
【００４４】
図９は、本発明の実施の形態１にかかるコンテンツ料金の課金システムのフローチャートである。まず、携帯電話２の使用者は、遊園地９入り口付近に設置された入場チケット販売機８にお金を入れて有料コンテンツサービス付の入場チケット７を購入する。
【００４５】
入場チケット販売機８に入場チケットの代金が投入され（Ｓ３１）、入場チケット販売機８に設けられたボタンなどによって有料コンテンツサービス付の入場チケットの購入が指定されると（Ｓ３２）、入場チケット販売機８は、入場チケット販売機８の備えるログインＩＤ生成部１０によってログインＩＤ１２を生成し（Ｓ３３）、インターネット６または専用回線を介して遊園地９と提携を結んで有料情報サービスを提供するコンテンツサーバ３にログインＩＤ１２、発券日、入場チケット販売機８の設置された地域情報を送信し（Ｓ３４）、コンテンツサーバ３のログインページのＵＲＬ１１と生成されたログインＩＤ１２を印字した図２に示すような入場チケット７を販売する（Ｓ３５）。入場チケット販売機８は、ここで入場チケット７の販売を一時終了し、次の入金を待つ。
【００４６】
コンテンツサーバ３のチケット管理部４２は、入場チケット販売機８から発券されたログインＩＤ、発券日、および地域情報を受信し、図７に示すチケット管理ＤＢ４５に新たな発券番号５１を確保して受信したログインＩＤ、発券日、および地域情報を、チケット管理ＤＢ４５のログインＩＤ５２、発券日５３、および地域情報５４に記憶する（Ｓ５１）。
【００４７】
一方、代金と引き換えに入場チケット７を入手した携帯電話２の使用者は、携帯電話２から「インターネットアクセス」を選択して入場チケット７に記載されたログインページのＵＲＬ１１を入力すると（Ｓ１１）、携帯電話２は、通信制御部４１によって基地局４、移動体通信網５、およびインターネット６を介してコンテンツサーバ３と接続される。
【００４８】
ログインＩＤ１２の入力は、手入力でなくとも、携帯電話２に文字認識機能があれば、携帯電話２の備える写真機能を用いて入場チケット７を撮影し、文字認識機能によって識別したログインページのＵＲＬ１１と、ログインＩＤ１２をコンテンツサーバ３に転送するようにしてもよい。
【００４９】
コンテンツサーバ３が、受信したＵＲＬのログインページを携帯電話２に送信すると（Ｓ５２）、携帯電話２は、コンテンツサーバ３から送信されるログインページを受信して図３に示すようなログインページ２０を表示する（Ｓ１２）。携帯電話２の使用者が、表示されたログインページ２１のログインＩＤ入力欄２２に入場チケット７に記載されたログインＩＤ１２を入力し、ログインボタン２３を選択すると（Ｓ１３）、入力されたログインＩＤ１２がコンテンツサーバ３に送信される。
【００５０】
コンテンツサーバ３は、ログインＩＤ１２を受信し、図７に示すチケット管理ＤＢ４５を検索し、受信したログインＩＤ１２が登録されているかをチェックする（Ｓ５３）。ログインＩＤ１２が、チケット管理ＤＢ４５のログインＩＤ５２に登録されていれば（Ｓ５３，ＹＥＳ）、発券日５３が有効期間内であるかをチェックする（Ｓ５４）。発券日５３が有効期間内であれば（Ｓ５４，ＹＥＳ）、チケット管理部４２で、有料情報サービスへのログインが許可され、次にユーザ管理部４３で、携帯電話２の使用者を会員としてユーザ登録を行う。遊園地９などに適用する場合、有効期間を発売日当日のみとしてもよい。
【００５１】
受信したログインＩＤ１２がチケット管理ＤＢ４５にないとき（Ｓ５３，ＮＯ）、または、発券日が有効期間内でないとき（Ｓ５４，ＮＯ）、コンテンツサーバ３は、それぞれの理由に応じたログイン不可のメッセージを携帯電話２に送信し（Ｓ５５）、有料情報サービスの提供を拒否する。携帯電話２は、ログイン不可のメッセージを受信し、それを表示部３６に表示して（Ｓ１４）、携帯電話２の使用者に知らせる。
【００５２】
図１０は、本発明の実施の形態１にかかるコンテンツ料金の課金システムのフローチャートである。チケット管理部４２によって有料情報サービスへのログインが許可されると、コンテンツサーバ３のユーザ管理部４３によって有料情報サービスへのログインしたユーザの情報が図８のユーザ管理ＤＢ４６に収集される。まず、受信したログインＩＤ１２がユーザ管理ＤＢ４６のログインＩＤ６１にすでに登録されているかをチェックする（Ｓ５６）。
【００５３】
受信したログインＩＤ１２がユーザ管理ＤＢ４６のログインＩＤ６１に登録されていれば（Ｓ５６，ＹＥＳ）、すでに会員登録されているので、ユーザ管理ＤＢ４６の、ログイン時刻６６を現在の時刻に更新し（Ｓ５７）、会員登録処理を終了する。受信したログインＩＤ１２がユーザ管理ＤＢ４６のログインＩＤ６１に登録されていなければ（Ｓ５６，ＮＯ）、会員登録画面を送信する（Ｓ５８）。携帯電話２は会員登録画面を受信し、会員登録画面を表示部３６に表示する（Ｓ１５）。
【００５４】
図１１は、本発明の実施の形態１にかかる会員登録画面の例である。会員登録画面８０は、使用者に呼びかけのメールなどを配信する場合に使用するニックネーム入力欄８１、使用者に個別に有料情報サービスを配信するためのメールアドレス入力欄８２、性別入力欄８３、生年月日入力欄８４と、登録ボタン８５または修正ボタン８６等からなる。
【００５５】
会員登録画面８０で、ニックネーム入力欄８１、メールアドレス入力欄８２、性別入力欄８３、生年月日入力欄８４が入力され、登録ボタン８５が選択されると（Ｓ１６）、ニックネーム、メールアドレス、性別、生年月日が送信される。コンテンツサーバ３は、ニックネーム、メールアドレス、性別、生年月日を受信し、新しい会員としてユーザ管理ＤＢ４６のログインＩＤ６１にログインＩＤを登録し、ユーザ管理ＤＢ４６のニックネーム６７、メールアドレス６２、性別６４、生年月日６３にそれらを記録して登録日時６５およびログイン時刻６６を記録し（Ｓ５９）、携帯電話２に会員登録完了を送信し（Ｓ６０）、会員登録処理を終了する。携帯電話２は、会員登録完了を受信し、携帯電話２の表示部に表示する（Ｓ１７）。
【００５６】
図１２は、本発明の実施の形態１にかかるコンテンツ料金の課金システムのフローチャートである。ユーザ管理部４３で会員登録が完了すると、コンテンツサーバ３のサービス提供部４４は、チケット管理ＤＢ４５の地域情報５４に基づいて入場チケット販売機８の設置された地域ごとに独特のサービスを記録したサービスＤＢ４７を選択する。サービス提供部４４は、選択したサービスＤＢ４７の中からユーザ管理ＤＢ４６に記録された生年月日６３、性別６４などによってサービス一覧画面を選んで送信する（Ｓ６１）。
【００５７】
携帯電話１は、サービス一覧画面を受信して表示する（Ｓ１８）。図１３は、本発明の実施の形態１にかかるサービスメニュー画面の例である。サービスメニュー画面９０では、例えば、子供用に１．宝探し、２．コンテンツ情報、３．メッセージサービスなどの有料情報サービスが用意される。例えば、ここで１．宝探しのサービスを選択すると（Ｓ１９）、選択した宝探しが携帯電話２からコンテンツサーバ３に送信され、コンテンツサーバ３は宝探しを受信する。
【００５８】
コンテンツサーバ３は、宝探しのための地図をＷｅｂ画面によって提供したり、宝探しのヒントとなるメッセージを時間単位で登録された会員のメールアドレスに配信するなどのサービスを配信する（Ｓ６２）。コンテンツサーバ３のサービス提供部４４は、提供したサービスを図８に示すユーザ管理ＤＢ４６のコンテンツ情報６８に記録する。携帯電話２の使用者は、提供されたサービスを受信しながら（Ｓ２０）、遊園地９内を散策し、遊園地９内のアトラクションと並行して有料コンテンツサービスを楽しむことができる。
【００５９】
コンテンツサーバ３のサービス提供部４４は、ユーザ管理ＤＢ４６に記憶された会員の生年月日６３、性別６４によってサービスの内容を変えていろいろな有料サービスを配信する。例えば、遊園地９のキャラクタなどの写真やイベント情報、遊園地でしか提供されない携帯電話２の待ち受け画面、着信メロディ、および他のアプリなどのコンテンツなどを提供したり、また、宝探しのヒントとなるメッセージをメールによって配信したり、ログイン時刻６６からの経過時間によって一定の時間単位で情報を配信し、グッズや電子コンテンツなどをプレゼントしたり、キャラクタの居場所やレストランなどの混雑状況を確認できる情報をメールやＷｅｂ画面で配信する。
【００６０】
尚、ここでは、ログインＩＤ１２の生成部１０を入場チケット販売機８に備えているが、ログインＩＤ１２の生成ロジックをコンテンツサーバ３に備え、入場チケット７を発券する度に入場チケット販売機８からコンテンツサーバ３に連絡し、コンテンツサーバ３から入場チケット販売機８にログインＩＤ１２を転送して印字するようにしてもよい。
【００６１】
以上詳細に説明したように実施の形態１では、入場チケット７を販売するとき代金と引き換えに、入場チケット販売機８の生成するログインＩＤ１２を入場チケット７に印字するとともに、ログインＩＤ１２を入場チケット販売機８からインターネット６または専用回線によってコンテンツサーバ３に送信してチケット管理ＤＢ４５に記憶し、有料情報サービスを受けるとき、携帯電話１からログインＩＤ１２を送信して、同じログインＩＤがチケット管理ＤＢ４５に記憶されていることを確認してから有料情報サービスを配信するので、確実に配信したコンテンツ料金に課金を行うことができる。
【００６２】
また、入場チケット販売機８に地域情報を与え、地域情報に従ってサービスＤＢ４７を選択して入場チケット販売機８の設置された地域に独特の有料情報サービスを提供することとができる。
【００６３】
（実施の形態２）
実施の形態２は、販売手段である入場チケット販売装置とコンテンツサーバを接続しない簡単なコンテンツ料金の課金システムであって、認証情報に販売日と配信地域情報を含み、販売手段とコンテンツサーバが同じ認証情報の生成手段であるログインＩＤＥＸ生成部を有し、コンテンツサーバは、受信した認証情報が同じロジックによって生成されていることを検証してユーザ認証を行うものである。図１４は、本発明の実施の形態２にかかるコンテンツ料金の課金システムの例を示すシステム概念図である。図１に示す実施の形態１のコンテンツ料金の課金システム１と同一の部分については同じ記号を付与し、説明を省略する。
【００６４】
コンテンツ料金の課金システム１００は、図１のコンテンツ料金の課金システム１において入場チケット販売機８とコンテンツサーバ３の間のインターネット６または専用回線による接続をなくし、実施の形態１の入場チケット販売機８がコンテンツサーバ３に送信していた発券日および地域情報を認証情報に含めたログインＩＤＥＸを生成するログインＩＤＥＸ生成部９１および９２を入場チケット販売機８００とコンテンツサーバ３００に備えたものである。
【００６５】
入場チケット７００には、入場チケット販売機８００のログインＩＤＥＸ生成部９１で生成された発券日、地域情報を含めたログインＩＤＥＸ１２０が印字される。携帯電話２の使用者はログインＩＤＥＸ１２０を入力し、コンテンツサーバ３００は、ログインＩＤＥＸ１２０を受信する。
【００６６】
図１５は、本発明の実施の形態２にかかるコンテンツサーバの構成例を示すブロック図である。図６に示す実施の形態１のコンテンツサーバ３の構成例を示すブロック図と同一の部分については同じ記号を付与し、説明を省略する。コンテンツサーバ３００は、実施の形態１のコンテンツサーバ３に加えて、チケット管理部４２０にログインＩＤＥＸ生成部９２を備える。
【００６７】
図１６は、本発明の実施の形態２にかかるコンテンツ料金の課金システムのフローチャートである。図９に示す実施の形態１にかかるコンテンツ料金の課金システムのフローチャートと同一の部分については同じ記号を付与し、説明を省略する。Ｓ３２によって有料コンテンツサービス付の入場チケットの購入が指定されると、入場チケット販売機８００は、入場チケット販売機８００の備えるログインＩＤＥＸ生成部９１によってログインＩＤＥＸ１２０を生成し（Ｓ３３０）、遊園地９と提携を結んで有料情報サービスを提供するコンテンツサーバ３のログインページのＵＲＬ１１と生成されたログインＩＤＥＸ１２０を印字した入場チケット７００を販売する（Ｓ３５０）。入場チケット販売機８００は、ここで入場チケット７００の販売を一時終了し、次の入金を待つ。
【００６８】
次に、Ｓ１２で表示されたログインページ２１のログインＩＤ入力欄２２に入場チケット７に記載されたログインＩＤＥＸ１２０を入力し、ログインボタン２３を選択すると（Ｓ１３０）、入力されたログインＩＤＥＸ１２０がコンテンツサーバ３００に送信される。
【００６９】
コンテンツサーバ３のチケット管理部４２０は、ログインＩＤＥＸ１２０を受信し、ログインＩＤＥＸ１２０がログインＩＤＥＸ生成部９２によって生成されたものであるかを検証する（Ｓ５００）。ログインＩＤＥＸ１２０がログインＩＤＥＸ生成部９２によって生成されたものであれば（Ｓ５００，ＹＥＳ）、ログインＩＤＥＸからログインＩＤ、発券日、および地域情報を取り出し、チケット管理ＤＢ４５に新たな発券番号５１を確保してログインＩＤＥＸから取り出したログインＩＤ、発券日、および地域情報を、チケット管理ＤＢ４５のログインＩＤ５２、発券日５３、および地域情報５４に記憶し（Ｓ５０１）、Ｓ５４に進んで発券日５３が有効期間内、例えば発券日当日であるかをチェックする。
【００７０】
ログインＩＤＥＸ１２０がログインＩＤＥＸ生成部９２によって生成されたものでなければ（Ｓ５００，ＮＯ）、Ｓ５７でログイン不可のメッセージを携帯電話２に送信する。
【００７１】
尚、入場チケット販売機８００にさらに暗号処理部を、コンテンツサーバ３に複合処理部を設け、発券日、地域情報を暗号化し、それに認証情報を加えてログインＩＤ１２０を生成してもよい。
【００７２】
以上詳細に説明したように実施の形態２では、コンテンツサーバ３００に入場チケット販売機８００と同じログインＩＤＥＸ生成部９２を備え、入場チケット販売機８００のログインＩＤＥＸ生成部９１でログインＩＤＥＸ１２０を生成し、携帯電話１からログインＩＤＥＸ１２０を送信し、コンテンツサーバ３００は、受信したログインＩＤＥＸ１２０がログインＩＤＥＸ生成部９２で生成されたものであるかを確認してから有料情報サービスを配信するので、入場チケット販売機８００をコンテンツサーバ３００と接続させることなく、コンテンツサーバ３００から配信されるコンテンツ料金に課金を行うことができる。
【００７３】
また、入場チケット販売機８００のログインＩＤＥＸ生成部９１が生成するログインＩＤＥＸ１２０の中に地域情報を含ませ、ログインＩＤＥＸ１２０の中の地域情報に従ってサービスＤＢ４７を選択して、地域に独特の有料情報サービスを提供することができる。
【００７４】
尚、本実施の形態では、有料コンテンツサービスに対する料金を入場料金に上乗せしたが、入場券と分離して有料コンテンツサービスに対する料金だけを切符として別に販売してもよい。例えば、映画館前に入場券とは別に有料コンテンツサービスを受けるためのチケット販売機を設定し、チケットを購入した携帯電話の使用者には、今上映されている映画音楽を配信するようにしてもよい。
【００７５】
また、本実施の形態では、ログインページのＵＲＬおよびログインＩＤまたはログインＩＤＥＸを入場チケット７または入場チケット７００に印字して販売したが、ログインページのＵＲＬおよびログインＩＤまたはログインＩＤＥＸの販売形態は、チケットに限定されない。例えば、入場チケット販売機から携帯電話に直接、または赤外線などの無線を用いて間接的に、携帯電話に入力可能な電子データとして販売してもよい。
【００７６】
また、本実施の形態では、有料コンテンツサービスが配信される機会を設定された有効期間または当日としたが、１度だけまたは複数回、さらに１年間有効など配信されるサービスの内容によってサービスを提供される機会をいろいろに設定してもよい。
【００７７】
また、本実施の形態では、有料情報サービスを要求する携帯端末を携帯電話としたが携帯電話に限定されない。有料情報サービスに接続できる携帯端末であればよい。
【産業上の利用可能性】
【００７８】
本発明は、携帯端末から通信網とネットワークを介して有料コンテンツを利用する場合のコンテンツ料金の課金方法に関し、特に電子化された画像、音声、コンピュータソフト等のデジタルコンテンツを配信する産業でコンテンツ料金を徴収するために利用される。
【図面の簡単な説明】
【００７９】
【図１】本発明の実施の形態１にかかるコンテンツ料金の課金システムを遊園地に適用した例を示すシステム概念図である。
【図２】本発明の実施の形態１にかかる有料コンテンツサービス付の入場チケット７の例である。
【図３】本発明の実施の形態１にかかるコンテンツサーバのログインページの例である。
【図４】本発明の実施の形態１にかかるコンテンツ料金の課金システムの概念を説明する図である。
【図５】本発明の実施の形態１にかかる携帯電話の構成例を示すブロック図である。
【図６】本発明の実施の形態１にかかるコンテンツサーバの構成例を示すブロック図である。
【図７】本発明の実施の形態１にかかるチケット管理ＤＢの例を示す図である。
【図８】本発明の実施の形態１にかかるユーザ管理Ｄの例を示す図である。
【図９】本発明の実施の形態１にかかるコンテンツ料金の課金システムのフローチャートである。
【図１０】本発明の実施の形態１にかかるコンテンツ料金の課金システムのフローチャートである。
【図１１】本発明の実施の形態１にかかる会員登録画面の例である。
【図１２】本発明の実施の形態１にかかるコンテンツ料金の課金システムのフローチャートである。
【図１３】本発明の実施の形態１にかかるサービスメニュー画面の例である。
【図１４】本発明の実施の形態２にかかるコンテンツ料金の課金システムの例を示すシステム概念図である。
【図１５】本発明の実施の形態２にかかるコンテンツサーバの構成例を示すブロック図である。
【図１６】本発明の実施の形態２にかかるコンテンツ料金の課金システムのフローチャートである。
【符号の説明】
【００８０】
１，２００  コンテンツ料金の課金システム
２  携帯電話
３，３００  コンテンツサーバ
４  基地局
５  移動体通信網
６  インターネット
７，７００  入場チケット
８，８００  入場チケット販売機
９  遊園地
１１  ログインページのＵＲＬ
１２  ログインＩＤ
２０  ログインページ
２１  コンテンツサーバ名
２２  ログインＩＤ入力欄
２３  ログインボタン
３１  通信処理部
３２  ＣＰＵ
３３  ＲＯＭ
３４  ＲＡＭ
３５  キー群
３６  表示部
３７  音声処理部
３７Ａ  マイク
３８  スピーカ
３９  バス
４０  アンテナ
４１  通信制御部
４２，４２０  チケット管理部
４３  ユーザ管理部
４４  サービス提供部
４５  チケット管理ＤＢ
４６  ユーザ管理ＤＢ
４７  サービスＤＢ
４８  バス
４６  ユーザ管理ＤＢ
５１  発券番号
５２  ログインＩＤ
５３  発券日
５４  地域情報
６１  ログインＩＤ
６２  メールアドレス
６３  生年月日
６４  性別
６５  登録日時
６６  ログイン時刻
６７  ニックネーム
６８  コンテンツ情報
８０  会員登録画面
８１  ニックネーム入力欄
８２  メールアドレス入力欄
８３  性別入力欄
８４  生年月日入力欄
８５  登録ボタン
８６  修正ボタン
９０  サービスメニュー画面
９１，９２  ログインＩＤＥＸ生成部
１２０  ログインＩＤＥＸ
【図１】
2005134952.tif 000003
【図２】
2005134952.tif 000004
【図３】
2005134952.tif 000005
【図４】
2005134952.tif 000006
【図５】
2005134952.tif 000007
【図６】
2005134952.tif 000008
【図７】
2005134952.tif 000009
【図８】
2005134952.tif 000010
【図９】
2005134952.tif 000011
【図１０】
2005134952.tif 000012
【図１１】
2005134952.tif 000013
【図１２】
2005134952.tif 000014
【図１３】
2005134952.tif 000015
【図１４】
2005134952.tif 000016
【図１５】
2005134952.tif 000017
【図１６】
2005134952.tif 000018